(57)【要約】【課題】  購入者が希望する飾り枠を取り替え自由に装着することができる厨子を提供することを目的とする。【解決手段】  厨子を構成する箱体の前方開口部側の天板及び底板に溝を形成すると共に、ガラス板或いは観音開き扉を装着し、且つ、握るための摘まみを設けた飾り枠の両側端部が当接する段部を前記箱体の両側板に形成し、該飾り枠の上端及び下端を前記天板及び底板に形成された溝に嵌め落としによって装着するようにしたことを特徴とする。【選択図】          図３
2005137852.tif 000002
【特許請求の範囲】
【請求項１】
厨子を構成する箱体の前方開口部側の天板及び底板に溝を形成すると共に、ガラス板或いは観音開き扉を装着し、且つ、握るための摘まみを設けた飾り枠の両側端部が当接する段部を前記箱体の両側板に形成し、該飾り枠の上端及び下端を前記天板及び底板に形成された溝に嵌め落としによって装着するようにしたことを特徴とする厨子。
【請求項２】
請求項１記載の厨子において、装着された飾り枠のガタつきを防止するために前記箱体の底板に磁石装置を取り付け、飾り枠には該磁石装置に吸着される鉄板を取り付けたことを特徴とする請求項１記載の厨子。
【請求項３】
請求項１、２記載の厨子において、磁石装置に吸着される鉄板を摘まみの延長部に取り付け、該摘まみをスプリングを介して前後方向に摺動できるようにしたことを特徴とする請求項１、２記載の厨子。
【発明の詳細な説明】
【技術分野】
【０００１】本発明は、箱体の前方開口部にガラス板或いは観音開き扉を装着した飾り枠を着脱自在に取り付けた厨子に関するものである。
【背景技術】
【０００２】  従来から箱体の前方開口部にガラス板を装着した飾り枠を取り付けた厨子は公知である。
【発明の開示】
【発明が解決しようとする課題】
【０００３】  従来のこの種厨子にあっては、箱体の前方開口部にガラス板を装着した飾り枠をネジで取り付けるものであったため、一旦取り付けた後はネジを外さない限り飾り枠自体を箱体から分離することができず、厨子の製作段階で飾り枠を取り付けて販売しなければならないため、購入者が希望する飾り枠を取り付けて販売しても後日飾り枠を別の飾り枠に変えて欲しいとの要望があっても即応することが難しいという欠点があった。
【発明の目的】
【０００４】  本発明は、購入者が希望する飾り枠を取り替え自由に装着することができる厨子を提供することを目的とするものである。
【課題を解決するための手段】
【０００５】  本発明に係る厨子は、厨子を構成する箱体の前方開口部側の天板及び底板に溝を形成すると共に、ガラス板或いは観音開き扉を装着し、且つ、握るための摘まみを設けた飾り枠の両側端部が当接する段部を前記箱体の両側板に形成し、該飾り枠の上端及び下端を前記天板及び底板に形成された溝に嵌め落としによって装着するようにしたことを特徴とするものである。
【発明の作用】
【０００６】  請求項１の発明では、飾り枠上端の両側端部を箱体の両側板に形成された段部に当接させながら滑らせて飾り枠上端を天板の溝に嵌合させ、同下端を底板の溝に嵌め落とすだけで簡単に飾り枠を箱体に取り付けることができ、請求項２の発明では、箱体の底板に磁石装置が取り付けられ、飾り枠には該磁石装置に吸着される鉄板が取り付けられているので、箱体への取り付け後に飾り枠のガタつきが防止される。
【発明の実施の態様】
【０００７】  本発明の実施の態様を図面について具体的に説明する。
【０００８】  図１は、本発明に係る厨子を収納した仏壇の斜視図、図２は、厨子を構成する箱体の正面図、図３は、図２のＡ−Ａ線における横断平面図、図４は、箱体に飾り枠を装着する状態を表わす正面図、図５は、箱体に飾り枠を装着する状態を表わす側面透視図、図６は、磁石装置と摘みの関係を表わす拡大断面図である。
【０００９】  Ａは、仏壇本体であって、仏壇本体Ａは前方の開口部が観音開きの扉で開閉される、厨子Ｂを収める本尊収納部と、経机収納部とから上下二段に構成されている。
【００１０】  １は、厨子Ｂを構成する前方が開放する箱体であって、天板１−１、底板１−２、側板１−３、１−３及び背板１−４から構成されている。
【００１１】  前記箱体１の前方開口部側の天板１−１及び底板１−２には後述する飾り枠の上下端が嵌合する溝１−１ａ、１−２ａが形成され、箱体１の両側板１−３、１−３には後述する飾り枠の両側端部が当接する段部１−３ａ、１−３ａが形成されている。
【００１２】  ２は、前記箱体１の前方開口部を被蓋する飾り枠であって、上下框２−１、２−２及び左右框２−３、２−４によって構成され、上下框２−１、２−２は前記天板１−１及び底板１−２の溝１−１ａ、１−２ａに入れ易いように楔状となっており、枠の内部にガラス板ａを入れたり、左右框２−３、２−４にそれぞれ二つ折れの扉ｂが蝶着して購入者の要望によっては電動開閉式に取り付けられ、下框２−２には飾り枠２を取り付けるときに握れる一対の摘み２−２ａがスプリング２−２ｂを介して前後方向に摺動自在に取り付けられている。
【００１３】  ３は、前記飾り枠２を吸着するための磁石装置であって、取付基部３−１と円柱状の永久磁石３−２とから構成され、取付基部３−１が前記箱体１の底板１−２にネジにて取り付けられ、飾り枠２の摘み２−２ａの軸に固着された鉄板２−２ｃを吸着することにより飾り枠２のガタつきを防止するようになっており、この鉄板２−２ｃは有底円筒状に形成され、底部分が永久磁石３−２に吸着され、筒部分によって上下方向の動きが規制されるようになっている。
【００１４】  次に、厨子Ｂを構成する箱体１への飾り枠２の装着方法を説明する。
【００１５】  図４、図５の状態において、摘み２−２ａ、２−２ａを握って飾り枠２の上框２−１の両側端部を箱体１の両側板１−３、１−３に形成された段部１−３ａ、１−３ａに当接させ、そのまま段部１−３ａ、１−３ａに沿って押し上げるように滑らせ、飾り枠２の上框２−１の楔状部分を天板１−１の溝１−１ａに嵌合させ、同下框２−２の楔状部分を底板１−２の溝１−２ａに嵌め落とすことによって飾り枠２は箱体１の前方開口部に装着され、両側板１−３、１−３には段部１−３ａ、１−３ａがあるため、飾り枠２は装着時に奥に倒れることがないもので、装着後、摘み２−３、２−３をスプリング２−２ｂ、２−２ｂの復元力に抗して矢印方向に押し込んでやると、摘み２−２ａの軸に固着された鉄板２−２ｃが磁石装置３の永久磁石３−２に吸着されて飾り枠２は箱体１の前方開口部にガタつきなく取り付けられ、且つ、鉄板２−２ｃの筒部分によって上下方向の運動も規制されて直下型の地震でも飾り枠２が外れることはないものである。
【００１６】  飾り枠２を箱体１から取り外すときには摘み２−３、２−３を手前に引いて鉄板２−２ｃを磁石装置３の永久磁石３−２の吸着力から開放し、摘み２−３、２−３を握った侭一旦上に押し上げて下框２−２の楔状部分を底板１−２の溝１−２ａから外して斜め下方向に引き下げてやれば簡単に取り外せるものである。
【発明の効果】
【００１７】  以上述べた如く、本発明に係る厨子によれば、厨子を構成する箱体の前方開口部側の天板及び底板に溝を形成すると共に、ガラス板或いは観音開き扉を装着し、且つ、握るための摘まみを設けた飾り枠の両側端部が当接する段部を前記箱体の両側板に形成し、該飾り枠の上端及び下端を前記天板及び底板に形成された溝に嵌め落としによって装着するようにしたものであるから、簡単に飾り枠を箱体に取り付け、取り外しすることができ、購入者が希望する飾り枠を取り替え自由に装着することができるため、購入者が希望する飾り枠を取り付けて販売し、後日飾り枠を別の飾り枠に変えて欲しいとの要望があった場合でも即応することができて便利であり、実用的効果は多大である。
【図面の簡単な説明】
【図１】  本発明に係る厨子を収納した仏壇の斜視図である。
【図２】  厨子を構成する箱体の正面図である。
【図３】  図２のＡ−Ａ線における横断平面図である。
【図４】  箱体に飾り枠を装着する状態を表わす正面図である。
【図５】  箱体に飾り枠を装着する状態を表わす側面透視図である。
【図６】  磁石装置と摘みの関係を表わす拡大断面図である。
【符号の説明】
Ａ          仏壇本体
Ｂ          厨子
１          箱体
２          飾り枠
３          磁石装置
【図１】
2005137852.tif 000003
【図２】
2005137852.tif 000004
【図３】
2005137852.tif 000005
【図４】
2005137852.tif 000006
【図５】
2005137852.tif 000007
【図６】
2005137852.tif 000008